(57)【要約】【課題】  燃料噴射弁と吸気管の間を密封するためにОリングのみならずグロメットを使用することのできる燃料噴射弁を提供する。【解決手段】  ソレノイド装置及びニードルバルブ１０などの外周を覆うようにして設けられたハウジング２の突起部２ａに対してサポートディスク１５をスナップフィットにより取り付け、このサポートディスク１５は燃料噴射弁１と吸気管との間を密封するためのОリング１８を保護するとともに、グロメットにより密封する場合にはグロメット１７を保持するものであり、更にサポートディスク１５の内周面に設けられた溝１５ｂには弾性シール材１６が装着されている。【選択図】        図２
2007009762.tif 000002
【特許請求の範囲】
【請求項１】
燃料噴射弁の一端に設けられ噴射口を有するバルブシートと、このバルブシートに離接して上記噴射口を開閉する弁体と、この弁体を移動させるためのソレノイド装置と、上記弁体及びソレノイド装置等の外周に設けられたハウジングとを有する燃料噴射弁において、上記ハウジングの下端部に、グロメットを保持、あるいはОリングの脱落を防止するためのサポートディスクを取り付けるとともに、このサポートディスクの内周面には弾性シール材を装着したことを特徴とする燃料噴射弁。
【請求項２】
上記サポートディスクは上記ハウジングに対しスナップフィットにより取り付けられたことを特徴とする請求項１記載の燃料噴射弁。
【発明の詳細な説明】
【技術分野】
【０００１】
この発明は、燃料噴射弁に関するものであり、特に燃料噴射弁と吸気管とのシール構造に関するものである。
【背景技術】
【０００２】
従来の燃料噴射弁においては、燃料噴射弁と吸気管の間を密封するためのОリングを保護するとともに、脱落することを防止するためのキャップ部材がケーシング部材の下端部に挿入され、固定されているものがあった（特許文献１参照）。
【０００３】
【特許文献１】特開２００４−３６０６２７号公報
【発明の開示】
【発明が解決しようとする課題】
【０００４】
従来の燃料噴射弁は以上のように構成されているが、燃料噴射弁と吸気管の間を密封するためには、Оリング以外にグロメットを使用することもある。しかし従来の構造では、グロメットを使用した場合、キャップ部材とケーシング部材の間で燃料漏れが発生してしまい、グロメットを使用することができないという問題点があった。
【０００５】
この発明は上記のような課題を解決するためになされたものであり、燃料噴射弁と吸気管の間を密封するためにОリングのみならずグロメットを使用することのできる燃料噴射弁を提供することを目的とするものである。
【課題を解決するための手段】
【０００６】
この発明に係る燃料噴射弁は、燃料噴射弁の一端に設けられ噴射口を有するバルブシートと、このバルブシートに離接して噴射口を開閉する弁体と、この弁体を移動させるためのソレノイド装置と、弁体及びソレノイド装置等の外周に設けられたハウジングとを有するものであって、ハウジングの下端部に、グロメットを保持し、更にはОリングの脱落を防止するためのサポートディスクを取り付けるとともに、このサポートディスクの内周面には弾性シール材を装着したものである。
【発明の効果】
【０００７】
この発明に係る燃料噴射弁は、燃料噴射弁の一端に設けられ噴射口を有するバルブシートと、このバルブシートに離接して噴射口を開閉する弁体と、この弁体を移動させるためのソレノイド装置と、弁体及びソレノイド装置等の外周に設けられたハウジングとを有するものであって、ハウジングの下端部に、グロメットを保持、あるいはОリングの脱落を防止するためのサポートディスクを取り付けるとともに、このサポートディスクの内周面には弾性シール材を装着したので、燃料噴射弁と吸気管との間を密封するためのシール方式を変えても、燃料噴射弁の形状を変える必要がないため、低いコストで生産することができるようになる。
【発明を実施するための最良の形態】
【０００８】
実施の形態１．
図１はこの発明の実施の形態１による燃料噴射弁を示す断面図、図２は燃料噴射弁の先端部を示す拡大断面図である。図において、燃料噴射弁１にはハウジング２が設けられ、このハウジング２の先端には、突起２ａが設けられている。コア３に対向してアマチュア４が設けられ、コア３の内部にはスプリング５が嵌装され、このスプリング５によってアマチュア４が閉弁方向に付勢されている。
【０００９】
又コア３の内部にはスプリング５のばね力を調整するためのアジャスター６が挿入されており、コア３とハウジング２の間には、磁気回路を形成するための電磁コイル７がボビン８により覆われて挿入されることにより、ソレノイド装置を構成している。電磁コイル７には、ターミナル９を介して駆動用の電気信号が印加される。アマチュア４の一端には弁体となるニードルバルブ１０が結合されており、このニードルバルブ１０はニードル部１０ａとボール弁体１０ｂとから構成されている。
【００１０】
燃料噴射弁１の先端部には燃料噴射口を有するバルブシート１１及びノズルプレート１２が設けられており、ニードルバルブ１０がバルブシート１１に離接することにより、燃料噴射口を開閉する。又ハウジング２とアマチュア４の間にはパイプ１３が設けられており、これらの部材及びソレノイド装置等により弁本体１４が形成されている。
以上のように構成された燃料噴射弁１はインテークマニホールドにおけるボス部に取り付けられるものである。
【００１１】
本発明による燃料噴射弁１の基本動作について以下説明する。
電磁コイル７に電気信号が印加されると、スプリング５の復帰力に打ち勝ってニードルバルブ１０がアマチュア４とともにコア３側に移動し、ボール弁体１０ｂがバルブシート１１から離れるため開弁し、燃料が吸気管内に噴射される。そして電磁コイル７に印加された電気信号を遮断すると、スプリング５の復帰力により、ニードルバルブ１０はバルブシート１１側に移動するので閉弁されることになる。
【００１２】
本発明においては、サポートディスク１５をハウジング２の下端部に設け、ハウジング２の突起部２ａに対しスナップフィット構造１５ａによって固定するものである。このサポートディスク１５は燃料噴射弁１と吸気管との間を密封するためのОリングを保護するとともに、Оリングが脱落することを防止し、更にはグロメットによるシール方式の場合にグロメットを保持するものである。
【００１３】
このサポートディスク１５の内周面には溝１５ｂが設けられるとともに、この溝１５ｂ内にはОリングなどの弾性シール材１６が予め装着され、この弾性シール材１６によって、サポートディスク１５と弁本体１４の間をシールしているものである。
【００１４】
図３はサポートディスク１５によってグロメット１７が保持された燃料噴射弁を示す断面図である。グロメット１７によるシール効果は燃料噴射弁の軸方向においてのみ発揮されるものであるため、サポートディスク１５によってグロメット１７を保持する場合、サポートディスク１５と弁本体１４の間で気密漏れが発生する恐れがある。そこでサポートディスク１５と弁本体１４の間にОリング等の弾性シール材１６を装着することによって、これらの間の気密漏れを防ぐことができる。
【００１５】
図４はグロメットの代わりに燃料噴射弁１と吸気管との間を密封するためのОリング１８をハウジング２に装着した例を示すものである。サポートディスク１５によってОリング１８は保護されるとともに、Оリング１８が脱落することを防止することができる。
【００１６】
以上のように、燃料噴射弁１の形状を同一にしたままで、燃料噴射弁１と吸気管との間を密封するためにОリング１８を用いてもよいし、又グロメット１７を用いるようにしてもよい。上記のように本発明によれば、燃料噴射弁と吸気管との間を密封するためのシール方式を変えても、燃料噴射弁１の形状を変える必要がないため、低いコストで燃料噴射弁を生産することができるようになる。
【図面の簡単な説明】
【００１７】
【図１】この発明の実施の形態１による燃料噴射弁を示す断面図である。
【図２】この発明の実施の形態１による燃料噴射弁の先端部を示す拡大断面図である。
【図３】この発明の実施の形態１による燃料噴射弁を示す断面図である。
【図４】この発明の実施の形態１による燃料噴射弁を示す断面図である。
【符号の説明】
【００１８】
１  燃料噴射弁、２  ハウジング、１１  バルブシート、１５  サポートディスク、
１６  弾性シール材、１７  グロメット、１８  Оリング。
【図１】
2007009762.tif 000003
【図２】
2007009762.tif 000004
【図３】
2007009762.tif 000005
【図４】
2007009762.tif 000006